(57)【要約】  際立った概念は、或る時点で装置が屋内の電力配電回路網から給電される必要があること、及び所与の装置への給電元である電力供給点、ひいては装置が位置する場所を一意に識別し、その位置を特定するために、かかる電力配電回路網をその固定配線式の性質を理由に使用できることに依拠することである。その信号が電力配電回路網（典型的には家庭用電力設備）全体にわたって搬送される一意識別情報源を作成し活用することを提案する。その情報源は顧客構内の電力計に関連することができ、その電力計の位置及び一意識別情報は例えば公益設備提供者によって知られている。給電されている間、装置は顧客の位置を表す一意識別情報を運ぶこの信号源を受信する。受信済みの識別情報は、所期の使用位置を表す識別情報と合致するかどうかに応じて、その装置向けのサービスへのアクセスを付与し又は拒否する際に更に使用される。
2019535177.tif 000002
【特許請求の範囲】
【請求項１】
サービスにアクセスするための位置ベースの資格情報を装置（２１２）に付与するための方法であって、前記装置（２１２）は位置識別情報に関連し、前記方法は、
前記装置（２１２）への給電元である電力配電回路網（２１０）の識別情報（ＩＤＬ１）を受信すること（Ｓ１２）であって、前記識別情報（ＩＤＬ１）は前記電力配電回路網（２１０）上での電力線通信により前記装置（２１２）によって受信されること（Ｓ１２）、及び
前記電力配電回路網（２１０）の前記識別情報（ＩＤＬ１）が前記位置識別情報と合致する場合は前記装置（２１２）に前記資格情報を付与すること（Ｓ１８）
を含む、方法。
【請求項２】
前記識別情報（ＩＤＬ１）が前記電力配電回路網（２１０）に接続される別の装置から受信される、請求項１に記載の方法。
【請求項３】
前記他の装置が前記電力配電回路網（２１０）上で電力を届ける電力供給システム（２３）の電力計（２１１）である、請求項２に記載の方法。
【請求項４】
前記電力配電回路網の前記識別情報（ＩＤＬ１）が前記電力配電回路網（２１０）上で周期的に伝送されるビーコン内で前記装置（２１２）によって受信される、請求項１ないし３の何れか一項に記載の方法。
【請求項５】
前記位置識別情報が前記装置（２１２）内で準備され、前記位置識別情報に対する前記電力配電回路網の前記識別情報（ＩＤＬ１）の合致が前記装置（２１２）内で評価される、請求項１ないし４の何れか一項に記載の方法。
【請求項６】
装置識別情報（ＩＤＤ１）及び前記電力配電回路網の前記識別情報（ＩＤＬ１）を通信ネットワーク（２４）によってサーバ（２５）に伝送することを更に含み、前記電力配電回路網の前記識別情報（ＩＤＬ１）が前記位置識別情報と合致する場合は前記装置（２１２）が前記付与される資格情報を前記サーバ（２５）から受信する、請求項１ないし４の何れか一項に記載の方法。
【請求項７】
前記識別情報が前記位置識別情報と合致しない場合、前記電力配電回路網の前記受信済みの識別情報から不正な位置（２２）の指示を得ることを更に含む、請求項６に記載の方法。
【請求項８】
サービスにアクセスする装置（２１２、２１３）の位置を特定するための方法であって、
前記装置（２１２、２１３）への給電元である電力配電回路網（２１０、２２０）の識別情報（ＩＤＬ１、ＩＤＬ２）を前記装置（２１２、２１３）から受信することであって、前記識別情報（ＩＤＬ１、ＩＤＬ２）は前記電力配電回路網（２１０、２２０）上での電力線通信により前記装置（２１２、２１３）によって受信されること、及び
前記電力配電回路網（２１０、２２０）の前記受信済みの識別情報（ＩＤＬ１、ＩＤＬ２）に基づいて前記装置（２１２、２１３）の位置を特定することであって、前記電力配電回路網（２１０、２２０）の前記識別情報は位置に関連すること
を含む、方法。
【請求項９】
サービスにアクセスするための位置ベースの資格情報が付与されている装置（２１２）であって、前記装置（２１２）は位置識別情報に関連し、
前記装置（２１２）への給電元である電力配電回路網（２１０）の識別情報（ＩＤＬ１）を受信することであって、前記識別情報（ＩＤＬ１）は前記電力配電回路網（２１０）上での電力線通信により前記装置（２１２）によって受信されること、及び
前記電力配電回路網（２１０）の前記識別情報（ＩＤＬ１）が前記位置識別情報と合致する場合は前記サービスにアクセスするための前記資格情報を付与すること
を行うように構成される少なくとも１個のプロセッサを含む、装置（２１２）。
【請求項１０】
前記識別情報（ＩＤＬ１）が、前記電力配電回路網（２１０）上で電力を届ける電力供給システムの電力計から受信される、請求項９に記載の装置（２１２）。
【請求項１１】
前記位置識別情報が前記装置（２１２）内で準備され、前記位置識別情報に対する前記電力配電回路網の前記識別情報（ＩＤＬ１）の合致が前記装置（２１２）内で評価される、請求項９又は１０に記載の装置（２１２）。
【請求項１２】
装置識別情報（ＩＤＤ１）及び前記電力配電回路網（２１０）の前記識別情報（ＩＤＬ１）をサーバ（２５）に伝送するように前記プロセッサが更に構成され、前記付与される資格情報が前記サーバから受信される、請求項８又は９に記載の装置（２１２）。
【請求項１３】
サービスにアクセスするための位置ベースの資格情報を装置に付与するサーバ（２５）であって、前記装置（２１２）は位置識別情報に関連し、前記サーバ（２５）が、
装置識別情報（ＩＤＤ１）及び前記装置（２１２）への給電元である電力配電回路網（２１０）の識別情報（ＩＤＬ１）を前記装置（２１２）から受信することであって、前記識別情報（ＩＤＬ１）は前記電力配電回路網（２１０）上での電力線通信により前記装置（２１２）によって受信されること、及び
前記電力配電回路網（２１０）の前記識別情報（ＩＤＬ１）が前記位置識別情報と合致する場合は前記装置（２１２）に前記資格情報を付与すること
を行うように構成される少なくとも１個のプロセッサを含む、サーバ（２５）。
【請求項１４】
サービスにアクセスするための位置ベースの資格情報を装置（２１２）に付与するためのコンピュータプログラムであって、前記装置（２１２）は位置識別情報に関連し、前記コンピュータプログラムは、
前記装置（２１２）への給電元である電力配電回路網（２１０）の識別情報（ＩＤＬ１）を受信することであって、前記識別情報（ＩＤＬ１）は前記電力配電回路網（２１０）上での電力線通信により前記装置（２１２）によって受信されること、及び
前記電力配電回路網（２１０）の前記識別情報（ＩＤＬ１）が前記位置識別情報と合致する場合は前記サービスにアクセスするための前記資格情報を付与すること
を行うためにプロセッサによって実行可能なプログラムコード命令を含む、
コンピュータプログラム。
【請求項１５】
装置識別情報（ＩＤＤ１）及び前記電力配電回路網（２１０）の前記識別情報（ＩＤＬ１）をサーバに伝送する
ためにプロセッサによって実行可能なプログラムコード命令を更に含み、前記付与される資格情報は前記サーバから受信される、請求項１４に記載のコンピュータプログラム。
【発明の詳細な説明】
【技術分野】
【０００１】
１．技術分野
開示する方法、システム、及び機器の技術分野は有料テレビサービスの配信に関し、より正確には、装置が他の場所ではなくその所期の顧客の場所で使用されることを確実にすることに充てられる著作権侵害行為対策に関する。
【背景技術】
【０００２】
２．背景技術
多くのビデオ消費サービスはスマートＴＶセットやセットトップボックス等のハードウェア装置を使用することによってレンダリングされ、それらの装置が使用されている場所を任意の時点において高精度で突き止める能力は、サービスを運営しそのサービスが商業的に成り立つことを維持する鍵であることが多い。これは、例えば自らの顧客に提供するセットトップボックスの位置を特定し、それらのセットトップボックスが他の場所ではなく所期の顧客の場所で実際に使用されていることを確認したい有料テレビサービスプロバイダの事例である。このことは、有料テレビ又は有料ビデオコンテンツに個々にアクセスする機能をそれぞれ有する複数のボックスをサービスプロバイダがマルチスクリーンオファリングの一環として提供する場合に極めて重要である。例えば顧客が自らの複数の装置のうちの１つを自分の思い通りに使用する友人に提供することは、オファリングの予期せぬ使用及びサービスプロバイダの収入減を意味する。この位置管理は、コンテンツが配信され得る期間及び／又は場所を制限するコンテンツ配信契約の条項によって規定することもできる。
【０００３】
有料ビデオの顧客は概して例えば自分の家屋の住所等の位置に関連し、その顧客に提供される装置は既知の位置であるその顧客の家屋内で使用されることが予期される。顧客に提供された装置の予期せぬ使用を回避する１つのあり得るやり方は、顧客への提供後に使用中の装置の位置を特定することができることである。
【０００４】
全地球測位システム（ＧＰＳ）技術は一般に知られており、広く使用されており、装置の地理位置情報に関する需要に非常に良く対処し、非常に高い精密性を提供する。しかし、これらの技術は受信装置がＧＰＳ衛星群の幾つかの衛星の見通し線内に同時にある場合にのみ機能し、殆どの事例において高信頼の屋内使用を排除する。更に
【０００５】
ネットワークが、全ての顧客に二地点間通信を提供するオペレータによって提供されるブロードバンドゲートウェイと共に運用される、例えばツイストペア（ｘＤＳＬ）や光ファイバ（ＦＴＴＨ）等の固定通信ネットワークである場合、装置のブロードバンドネットワーク接続を活用して装置の位置を特定するための他の既知の方法もある。それらの二地点間配信ネットワーク中にビデオコンテンツを届けるためにインターネットプロトコルが今では広く使用されており、顧客に割り当てられた公開ＩＰアドレス、及び公開ＩＰアドレスとインターネット加入者の位置との間のマッピングの知識からその顧客の位置を追跡することができる。
【発明の概要】
【０００６】
しかし、ＨＦＣ（混成同軸ケーブル）上でのブロードキャストテレビや（衛星配信、WiFi、４Ｇ／ＬＴＥ等の）無線配信手段を含む他のネットワーク等、ビデオ配信ネットワークの一部の種類は運営者によって管理される消費者構内ネットワーク機器と特定の顧客の位置との間の正確なマッピングを行わない。顧客に提供される装置が予期せぬ位置からではなくその所期の顧客の場所から使用されていることを確認するために、或る受信場所から別の受信場所に装置を不正に移動させることができるそのような共用媒体配電網では、顧客に提供される装置が何処にあるのかを正確に突き止めることができる方法が求められている。
【０００７】
３．概要
際立った概念は、或る時点で装置が屋内の電力配電回路網から給電される必要があること、及び所与の装置への給電元である電力供給点、ひいては装置が位置する場所を一意に識別し、その位置を特定するために、かかる電力配電回路網をその固定配線式の性質を理由に使用できることに依拠することである。その信号が電力配電回路網（典型的には家庭用電力設備）全体にわたって搬送される一意識別情報源を作成し活用することを提案する。その情報源は顧客構内の電力計に関連することができ、その電力計の位置及び一意識別情報は例えば公益設備提供者によって知られている。給電されている間、装置は顧客の位置を表す一意識別情報を運ぶこの信号源を受信する。受信済みの識別情報は、所期の使用位置を表す識別情報と合致するかどうかに応じて、その装置向けのサービスへのアクセスを付与し又は拒否する際に更に使用される。
【０００８】
そのために、サービスにアクセスするための位置ベースの資格情報を装置に付与するための方法を開示し、装置は位置識別情報に関連する装置識別情報によって識別される。この方法は、
−装置への給電元である電力配電回路網の識別情報を受信することであって、識別情報は電力配電回路網上での電力線通信により装置によって受信されること、及び
−電力配電回路網の識別情報が位置識別情報と合致する場合は装置に資格情報を付与すること
を含む。
【０００９】
特に有利な改変形態によれば、電力配電回路網の識別情報が、電力配電回路網に接続される別の装置から受信される。
【００１０】
別の特に有利な改変形態によれば、他の装置は電力配電回路網上で電力を届ける電力供給システムの電力計である。
【００１１】
別の特に有利な改変形態によれば、電力配電回路網の識別情報が、電力配電回路網上で周期的に伝送されるビーコン内で装置によって受信される。
【００１２】
別の特に有利な改変形態によれば、識別情報は、装置によって生成される要求パケットに対する応答パケットとして他の装置によって生成されるデータパケットとして電力配電回路網から受信される。
【００１３】
別の特に有利な改変形態によれば、位置識別情報が装置内で準備され、位置識別情報に対する電力配電回路網の識別情報の合致が装置内で評価される。
【００１４】
別の特に有利な改変形態によれば、この方法が、装置識別情報及び電力配電回路網の識別情報を通信ネットワークによってサーバに伝送することを更に含み、電力配電回路網の識別情報が位置識別情報と合致する場合は付与される資格情報を装置がサーバから受信する。
【００１５】
別の特に有利な改変形態によれば、この方法は、電力配電回路網の識別情報が位置識別情報と合致しない場合、電力配電回路網の受信済みの識別情報から不正な位置の指示を得ることを更に含む。
【００１６】
第２の態様では、サービスにアクセスする装置の位置を特定するための方法も開示する。この方法は、
−装置への給電元である電力配電回路網の識別情報を装置から受信することであって、識別情報は電力配電回路網上での電力線通信により装置によって受信されること、及び
−電力配電回路網の受信済みの識別情報に基づいて装置の位置を特定することであって、電力配電回路網の識別情報は位置に関連すること
を含む。
【００１７】
第３の態様では、サービスにアクセスするための位置ベースの資格情報が付与されている装置も開示し、装置は位置識別情報に関連する装置識別情報によって識別される。装置は、
−装置への給電元である電力配電回路網の識別情報を受信することであって、電力配電回路網の識別情報は電力配電回路網上での電力線通信により装置によって受信されること、
−装置識別情報及び電力配電回路網の識別情報をサーバに伝送すること、及び
−電力配電回路網の識別情報が位置識別情報と合致する場合はサービスにアクセスするための資格情報をサーバから受信すること
を行うように構成される少なくとも１個のプロセッサを含む。
【００１８】
特に有利な改変形態によれば、電力配電回路網の識別情報が、電力配電回路網上で電力を届ける電力供給システムの電力計から受信される。
【００１９】
第４の態様では、サービスにアクセスするための位置ベースの資格情報を付与されている装置も開示し、装置は位置識別情報に関連する装置識別情報によって識別される。この装置は、
−装置への給電元である電力配電回路網の識別情報を受信するための手段であって、電力配電回路網の識別情報は電力配電回路網上での電力線通信により装置によって受信される、受信するための手段、
−装置識別情報及び電力配電回路網の識別情報をサーバに伝送するための手段、及び
−電力配電回路網の識別情報が位置識別情報と合致する場合はサービスにアクセスするための資格情報をサーバから受信するための手段
を含む。
【００２０】
特に有利な改変形態によれば、電力配電回路網の識別情報が、電力配電回路網上で電力を届ける電力供給システムの電力計から受信される。
【００２１】
第５の態様では、サービスにアクセスするための位置ベースの資格情報を装置に付与するサーバも開示し、装置は位置識別情報に関連する装置識別情報によって識別される。このサーバは、
−装置識別情報及び装置への給電元である電力配電回路網の識別情報を装置から受信することであって、電力配電回路網の識別情報は電力配電回路網上での電力線通信により装置によって受信されること、及び
−電力配電回路網の識別情報が位置識別情報と合致する場合は装置に資格情報を付与すること
を行うように構成される少なくとも１個のプロセッサを含む。
【００２２】
第６の態様では、サービスにアクセスするための位置ベースの資格情報を装置に付与するサーバも開示し、装置は位置識別情報に関連する装置識別情報によって識別される。このサーバは、
−装置識別情報及び装置への給電元である電力配電回路網の識別情報を装置から受信するための手段であって、電力配電回路網の識別情報は電力配電回路網上での電力線通信により装置によって受信される、受信するための手段、及び
−電力配電回路網の識別情報が位置識別情報と合致する場合は装置に資格情報を付与するための手段
を含む。
【００２３】
第７の態様では、サービスにアクセスするための位置ベースの資格情報を付与されている装置も開示し、装置は位置識別情報に関連する装置識別情報によって識別される。この装置は、
−装置への給電元である電力配電回路網の識別情報を受信することであって、電力配電回路網の識別情報は電力配電回路網上での電力線通信により装置によって受信されること、及び
−電力配電回路網の識別情報が位置識別情報と合致する場合はサービスにアクセスするための資格情報を付与すること
を行うように構成される少なくとも１個のプロセッサを含む。
【００２４】
特に有利な改変形態によれば、電力配電回路網の識別情報が、電力配電回路網上で電力を届ける電力供給システムの電力計から受信される。
【００２５】
第８の態様では、サービスにアクセスするための位置ベースの資格情報を付与されている装置も開示し、装置は位置識別情報に関連する装置識別情報によって識別される。この装置は、
−装置への給電元である電力配電回路網の識別情報を受信するための手段であって、電力配電回路網の識別情報は電力配電回路網上での電力線通信により装置によって受信される、受信するための手段、及び
−電力配電回路網の識別情報が位置識別情報と合致する場合はサービスにアクセスするための資格情報を付与するための手段
を含む。
【００２６】
特に有利な改変形態によれば、電力配電回路網の識別情報が、電力配電回路網上で電力を届ける電力供給システムの電力計から受信される。
【００２７】
第９の態様では、サービスにアクセスするための位置ベースの資格情報を装置に付与するためのコンピュータプログラムも開示し、装置は位置識別情報に関連する装置識別情報によって識別される。このコンピュータプログラムは、
−装置への給電元である電力配電回路網の識別情報を受信することであって、電力配電回路網の識別情報は電力配電回路網上での電力線通信により装置によって受信されること、及び
−電力配電回路網の識別情報が位置識別情報と合致する場合は装置に資格情報を付与すること
を行うために少なくとも１個のプロセッサによって実行可能なプログラムコード命令を含む。
【００２８】
第１０の態様では、本発明は開示する方法をコンピュータが実行することを可能にするためのコンピュータ実行可能プログラム命令を記憶する非一時的コンピュータ可読記憶媒体を対象とする。
【００２９】
第１１の態様では、本発明は開示する方法を実行するために少なくとも１個のプロセッサによって実行するためのプログラムコード命令を含むコンピュータプログラム製品を対象とする。
【００３０】
明示的に記載していないが、本発明の実施形態は任意の組合せ又はサブコンビネーションで使用することができる。例えば本原理は記載の改変形態に限定されず、改変形態及び実施形態の任意の構成を使用することができる。更に本原理は記載の電力線配電網に限定されない。本原理は更に記載の配信ネットワークに限定されず、任意の種類の配信ネットワークに適用できる。本原理は更に記載の装置識別情報及び対応するブロードキャスト／ビーコン技法に限定されない。
【００３１】
それに加えて、方法に関して説明する如何なる特性、改変形態、又は実施形態も、開示する方法を処理することを目的とする装置、開示する方法を処理するためのプロセッサによって実行可能なプログラムコード命令を含むコンピュータプログラム、及びプログラム命令を記憶するコンピュータ可読記憶媒体に適合する。
【００３２】
４．図面の簡単な説明
本開示の実施形態を図中に示す。
【図面の簡単な説明】
【００３３】
【図１】本原理の特定の且つ非限定的な実施形態による、位置ベースの資格情報を装置に付与するための方法を示す。
【図２】本原理の特定の且つ非限定的な実施形態による、或る位置内で資格情報を付与されている装置、及び別の位置内での使用について資格情報を拒否されている、同じ位置内で使用されることがやはり意図される別の装置の一例を示す。
【図３】本原理の特定の且つ非限定的な実施形態による、位置ベースの資格情報が付与されている処理装置を示す。
【図４】本原理の特定の且つ非限定的な実施形態による、図３の処理装置の例示的アーキテクチャを示す。
【発明を実施するための形態】
【００３４】
５．実施形態の説明
この説明は、電力及び電力配電回路網識別情報の両方を配送するものとして電力配電回路網に言及する。限定なしに及び一般性を失うことなしに、電力配電回路網識別情報が任意の種類の電力線通信プロトコルを使用して電力配電回路網上で送受信される。
【００３５】
図１は、特定の且つ非限定的な実施形態による、位置ベースの資格情報を装置２１２、２１３に付与するための方法を示す。この方法については、図２の例示的なイラストからも更に説明する。限定なしに及び一般性を失うことなしに、この方法は同軸ケーブルインフラ２４上で顧客に有料テレビサービスを提供するケーブルＴＶサービスプロバイダを考慮して説明する。かかるサービスプロバイダは、一般に有料テレビサービスを受信するためのセットトップボックス等の装置２１２、２１３を自らの顧客に提供する。１組のサービスに加入する顧客にとってのサービスへのアクセスを制限するために、サービスプロバイダによって資格情報が一般に使用される。資格情報の付与／拒否は広義に解釈すべきであり、様々な技術的形態を取り得る。資格情報の付与／拒否は、１組のサービスへのアクセスを承認すること／阻止することと同じ意味を有する。資格情報の第１の例は、ウェブサイトの制限領域にアクセスするためのログイン及びパスワードである。ログイン及びパスワードは、例えば利用者が初めてウェブサイトに登録するとき利用者に提供される。資格情報の別の例は、ビデオ配信ネットワーク内で使用される条件付きアクセスシステムによって管理される利用者の権利である。例として、ＤＶＢ規格は運営者がデジタルテレビストリームにスクランブルをかけることができる方法を定め、そのアクセスは権利付与管理メッセージ（ＥＭＭ：entitlement management messageと通常呼ばれる）を受信した者にだけ与えられ、権利付与管理メッセージはブロードキャストネットワーク上で配信され、例えば有効な復号スマートカードや他の任意の保護された記憶手段内にホストされるアクセス権を付与する。資格情報の最後の例は、デジタル著作権管理（ＤＲＭ）技術の管理下で映画を購入し視聴するためにビデオオンデマンドプロバイダによって付与されるライセンスである。ＤＲＭは、独占権下にあるハードウェア及び著作権のあるコンテンツの使用を制限するために使用されるアクセス管理技術を含む。ライセンスを付与することは、例えば装置上で処理することで保護コンテンツのアクセス及び解読を更に可能にする情報項目を伝送することを含む。より広くは、任意のサービスプロバイダ、任意の種類の条件付きアクセス、及びサービスプロバイダによって条件付きで配信されるサービスを受信可能な任意の種類の装置が開示する方法に適合する。上述したように、この方法はケーブルＴＶ配信ネットワークを考慮して説明し、ビデオブロードキャスト配信及び双方向データトラフィックの両方が同じ物理インフラによってサポートされ得る。しかし、他の任意の種類の配信ネットワークが開示する原理に適合する。例えば衛星テレビ配信ネットワークや地上テレビ配信ネットワーク等の純粋な（即ち双方向通信をサポートしない）ブロードキャスト配信ネットワークの場合、例えば権利の管理や資格情報の付与／拒否目的を専用とするデータ情報をやり取りするために、例えばインターネット等の別の双方向ネットワークがブロードキャストネットワークに加えて使用される。同様に、例えば無線ローカルエリアネットワーク（WiFi）やセルラネットワーク（４Ｇ／ＬＴＥ）等の他の無線ネットワーキング技術に基づく��デオ配信ネットワークも開示する原理に適合する。
【００３６】
有料テレビサービスへの顧客の加入は、顧客の家屋の位置２１、２２等の顧客の位置に概して関係し、家屋はサービスプロバイダネットワーク２４への接続を含む。顧客がケーブルＴＶの１組のチャネルに加入するとき、顧客はその加入をケーブルネットワークへの接続を利用できる特定の家屋の住所について行う。その位置に関係なく、装置２１２、２１３は配信ネットワーク２４に接続され、装置識別情報ＩＤＤ１、ＩＤＤ２によって一意に識別される。顧客が加入しているサービスを装置２１２、２１３が受信できるように、装置２１２、２１３及び／又はサービスはどの権利付与かについての１組のパラメータを用いてサービスプロバイダによって準備される必要がある。正しく準備された装置２１２が顧客の加入に対応するビデオチャネルをスクランブル解除でき正しく受信するように、サービスの準備は必要な構成を含む。多くの有料テレビネットワークでは、サービスの準備は、装置ごとに１枚のスマートカードを顧客に供給すること並びに供給されたスマートカードを標的とするＥＭＭをネットワーク上で周期的に生成することを可能にするヘッドエンドの構成を含む。
【００３７】
特定の実施形態によれば、装置２１２、２１３は固有の識別情報ＩＤＤ１、ＩＤＤ２によって一意に識別され、装置識別情報ＩＤＤ１、ＩＤＤ２はサービス準備プロセスの一環として所期の位置識別情報ＩＤＬ１に関連付けられる。実際、サービスプロバイダは顧客の加入を管理／構成するとき自らの顧客に関する情報データベース２５を維持する。制限なしに、かかる情報は例えば顧客と連絡が取れる顧客の郵便住所や電子メールアドレスを含む。有利な改変形態では、顧客の加入に関係する所期の位置識別情報として、その顧客の家屋の位置を一意に識別する家屋位置識別情報ＩＤＬ１が情報データベース２５内に含まれる。
【００３８】
特に有利な改変形態では、位置識別情報ＩＤＬ１、ＩＤＬ２が顧客の家屋の位置２１、２２の電力計２１１、２２１を一意に識別する。例えば位置識別情報ＩＤＬ１、ＩＤＬ２は、電源供給システム２３内の電力計２１１、２２１の論理アドレス又はネットワークアドレスである。別の例では、位置識別情報ＩＤＬ１、ＩＤＬ２は顧客の家屋の位置２１、２２の電力計２１１、２２１のシリアル番号である。より広くは、位置識別情報ＩＤＬ１、ＩＤＬ２は、電力計２１１、２２１によって計測される顧客の家屋の位置２１、２２の局所電力配電回路網２１０、２２０を一意に識別する任意の種類の識別情報である。電力計２１１、２２１が有料テレビサービスプロバイダとは別の電気プロバイダによって所有され又は提供される場合、電気プロバイダによって決定される位置識別情報ＩＤＬ１、ＩＤＬ２が、例えば共用データベースや当業者に知られている他の任意の手段によって有料テレビサービスプロバイダと共有される。開示する方法は更に個々の家屋及び個々の電力計に限定されない。電力供給ネットワークの一部が識別可能であり、位置に関連付けることができることを考慮し、開示する方法は更に大きいビル又はオフィス環境にも適用できる。
【００３９】
有利な改変形態では、所期の位置識別情報ＩＤＬ１に対する装置識別情報ＩＤＤ１、ＩＤＤ２の関連付け２５１、２５２が顧客情報システムの一部としてサービスプロバイダのサーバ２５のデータベース内に記憶される。図２に示す例では、位置識別情報ＩＤＬ１によって識別される位置２１にいる単一の顧客にサービスプロバイダが２つの装置２１２及び２１３を割り当てる。その結果、関連付け２５１は一意識別情報ＩＤＤ１によって識別される装置２１２が所期の位置識別情報ＩＤＬ１に関連することを示す。同様に、関連付け２５２は一意識別情報ＩＤＤ２によって識別される装置２１３が所期の位置識別情報ＩＤＬ１に関連することを示す。
【００４０】
開示する原理の説明の全体を通して、及び一般性を失うことなしに、顧客の家屋の位置の局所電力配電回路網を一意に識別し、その局所（現在の）電力配電回路網上での電力線通信によって伝送される電力配電回路網の識別情報は現在位置識別情報と呼ばれる。電力配電回路網に一意に割り当てられており、電力配電回路網の配線上で伝送されている電力配電回路網の識別情報は電力配電回路網の位置を表す。換言すれば、電力配電回路網に接続され、電力配電回路網上での電力線通信によって電力配電回路網の識別情報を受信する任意の装置の場所を電力配電回路網の周辺（地理的領域）で突き止めることができる。
【００４１】
図１に戻り、ステップＳ１２で、給電されるために装置２１２、２１３が電力配電回路網２１０、２２０に接続されるとき、現在位置識別情報が装置２１２、２１３によって電力配電回路網２１０、２２０から受信される。開示する方法は、ケーブルネットワーク２４上で有料テレビサービスを受信するＡＣ給電装置がどちらもビデオサービスを受信するための同じケーブルネットワーク２４、及び少なくとも給電されるための電力配電回路網２１０、２２０に接続されることを利用する。有料テレビサービスが衛星、WiFi、４Ｇ／ＬＴＥネットワーク等の無線ネットワーク上で配信される場合、配信ネットワークに対する装置２１２、２１３の接続は例えば無線信号の受信及び／又は関連付け／認証を含む論理接続である。開示する原理は、有料テレビサービスを受信するための物理有線媒体への物理接続に限定されない。装置２１２、２１３が電力配電回路網２１０、２２０に接続されるとき、装置２１２、２１３は現在位置を表し且つ現在位置識別情報と呼ばれる位置識別情報を受信する。図２に示す例では、家屋の位置２１の電力配電回路網２１０にプラグ接続される装置２１２が現在位置識別情報としてＩＤＬ１を受信する一方、家屋の位置２２の電力配電回路網２２０にプラグ接続される装置２１３は現在位置識別情報としてＩＤＬ２を受信する。
【００４２】
第１の改変形態では、電力供給システム２３によって家屋に供給される電力を測定する電力計２１１、２２１に埋め込まれる情報源から現在位置識別情報が電力配電回路網経由で受信される。情報源は例えば電力計の一意識別情報を使用する。その場合、現在位置識別情報は例えば電気プロバイダによって管理される電力計２１１、２２１の一意識別情報である。
【００４３】
第２の改変形態では、電力配電回路網２１０、２２０に接続される別の独立の装置から現在位置識別情報が受信される。この他の独立装置は、例えば顧客の位置を一意に識別するために同じ有料テレビサービスプロバイダによって提供される。この他の独立装置は、例えばその目的が単一の固有の電力配電回路網２１０又は２２０に関連する一意識別情報ＩＤＬ１、ＩＤＬ２をブロードキャストすることである電源プラグアクセサリ等の非常に簡単な装置であり得る。有料テレビサービスの受信を可能にしないので、この簡単な装置はサービスプロバイダによって提供されている可能性がある第２の受信機とは異なる。第２の例では、この他の独立装置は有料テレビサービスプロバイダ又は電気プロバイダと独立したサードパーティの信頼された機関によって提供される。サードパーティの信頼された機関は、他の独立装置の一意識別情報ＩＤＬ１、ＩＤＬ２を例えば顧客の個人情報や位置情報（名前や住所）と共に有料テレビサービスプロバイダに更に提供する。
【００４４】
第３の改変形態では、現在位置識別情報が専用インタフェースによって電力計２１１、２２１に接続される更に別の独立装置から受信され、更に別の独立装置は現在位置識別情報を電力２１１、２２１から受信する。以下に記載の改変形態の何れかに従って現在位置識別情報を電力配電回路網２１０、２２０上に更に伝送するために、更に別の独立装置は電力配電回路網２１０、２２０に更に接続される。任意選択的に、及び記載の改変形態の何れかにおいて、現在位置識別情報は暗号化され、装置２１２、２１３によって暗号化形式で受信される。
【００４５】
特定の実施形態では、及び上記の改変形態の何れかによれば、現在位置識別情報は電力配電回路網２１０、２２０上で周期的に伝送されるビーコン、例えばブロードキャストビーコン内で運ばれる。ビーコンの伝送期間は任意の値（数秒から数十分）とすることができるが、装置の設備において付与される資格情報を得ることに関するレイテンシに影響する。以下で更に説明するように実際、電力配電回路網２１０、２２０に接続された後、装置２１２は資格情報が付与されるための現在位置識別情報を受信するための期間少なくとも待たなければならない。
【００４６】
別の実施形態では、更に上記の改変形態の何れかによれば、装置２１２、２１３は現在位置識別情報を要求するデータパケットを電力配電回路網２１０、２２０上で送信する。改変形態にもよるが電力計２１１、２２１又は他の装置が、現在の装置の位置２１、２２に対応する現在位置識別情報を含むデータパケット応答を送信することによってそのデータパケットの要求に応答する。
【００４７】
次いで、現在位置識別情報が所期の位置識別情報と突き合わせて評価される。この評価については様々な実施形態に従って、及び位置２１にいる単一の顧客にサービスプロバイダが２つの装置２１２及び２１３を割り当てる図２の説明のための例に従って以下で説明する。
【００４８】
ネットワークによる資格情報の付与
第１の実施形態では、上記のように顧客の位置に対応する位置識別情報ＩＤＬ１がサーバ２５、例えばサービスプロバイダの情報システム内に記憶される。顧客がサービスに加入すると、その顧客に関する所期の位置識別情報ＩＤＬ１としてその顧客の家屋の一意識別情報が例えばサービスプロバイダの情報システム内で準備される。その顧客にサービスプロバイダが１つ又は複数の装置２１２、２１３を割り当てると、割り当てられた装置２１２、２１３に対応する一意識別情報ＩＤＤ１、ＩＤＤ２もその顧客に関する所期の位置識別情報ＩＤＬ１に情報システム内で関連付けられる（２５１、２５２）。位置２１にいる顧客が自らの装置２１２を有料テレビネットワーク２４及び電力配電回路網２１０の両方に接続すると、装置２１２は現在位置識別情報ＩＤＬ１を電力配電回路網２１０から受信する。装置２１３が有料テレビネットワーク２４及び位置２２の電力配電回路網２２０の両方に接続される場合、装置２１３は現在位置識別情報ＩＤＬ２を電力配電回路網２２０から受信する。装置２１２、２１３は通信ネットワークを介してデータパケット内で自らの装置識別情報ＩＤＤ１、ＩＤＤ２と共に受信済みの現在位置識別情報ＩＤＬ１、ＩＤＬ２をサーバ２５に伝送する。有利には、通信ネットワークは配信ネットワーク２４（例えば同軸ネットワーク）と同じネットワークだが、他の任意のネットワークとすることもできる。例えば配信ネットワークが戻りチャネルなしの衛星ネットワークである場合、通信ネットワークは例えばインターネットネットワークである。装置識別情報（Ｓ１３）と共に現在位置識別情報を受信する（Ｓ１２）サーバ２５は、ステップＳ１４〜Ｓ１６で、その改変形態の何れかにおける情報システム内で準備される通りに、現在位置識別情報がその装置に関する所期の位置識別情報と合致するかどうかを評価する。
【００４９】
合致の評価は実装形態によって様々な代替形態を取り得る。例えば、装置識別情報ＩＤＤ１、ＩＤＤ２と所期の位置識別情報ＩＤＬ１との間の関連付け２５１、２５２が情報システム内で準備される。対応する所期の位置識別情報ＩＤＬ１、ＩＤＬ２を取得するための鍵として受信される装置識別情報ＩＤＤ１、ＩＤＤ２が使用され、合致が成功するには所期の位置識別情報ＩＤＬ１、ＩＤＬ２は受信される現在位置識別情報と同一でなければならない。別の例では、顧客識別情報と顧客に割り当てられた装置の識別情報ＩＤＤ１、ＩＤＤ２との間の関連付けが第１のデータベース内で準備され、顧客識別情報と位置識別情報ＩＤＬ１、ＩＤＬ２との間の関連付けが第２のデータベース内で準備される。この第２の例では、第１のデータベースから対応する顧客識別情報を取得するための鍵として受信される装置識別情報ＩＤＤ１、ＩＤＤ２が使用され、受信される装置識別情報ＩＤＤ１、ＩＤＤ２は第２のデータベースから対応する所期の位置識別情報を取得するための鍵として更に使用される。合致が成功するには取得される所期の位置識別情報ＩＤＬ１が受信される現在位置識別情報と同一でなければならない。
【００５０】
装置２１２が予期された位置２１において配信ネットワークに接続されていることが明らかになる合致に成功した場合、加入に対応するサービスを受信するための資格情報がステップＳ１８で付与され、付与される資格情報を装置２１２がサーバ２５から受信する。条件付きアクセスシステムの例では、資格情報を付与することが権利付与管理メッセージを生成し装置２１２に伝送することを含み、権利付与管理メッセージは保護コンテンツにアクセスするための有効な復号鍵が装置２１２に提供されるようにスマートカードに転送される。ＤＲＭの例では、資格情報を付与することがライセンスを生成し、例えば配信ネットワーク２４上で装置２１２に伝送することを含む。保護コンテンツへのアクセスを提供するために、ライセンスは装置２１２のＤＲＭモジュールに転送される。受信される現在位置識別情報が所期の位置識別情報と合致する場合に装置２１２に資格情報を付与するための他の任意の手段が開示する原理に適合する。
【００５１】
装置が位置識別情報を一切返さない場合、又は装置２１３が予期せぬ位置２２においてプラグ接続されていることを明らかにする合致に成功しない場合、加入に対応するサービスを受信するための資格情報がステップＳ１９で拒否される。例えばＥＭＭが生成されず又は装置２１３に伝送されず、そのため装置２１３の復号スマートカード内にホストされるアクセス権が提供されない。別の例では、制限付きのライセンスが装置２１３に伝送され、更にはライセンスが装置２１３に全く伝送されず、そのため埋込ＤＲＭは保護コンテンツへのアクセスを一切提供しない。受信される現在位置識別情報が所期の位置識別情報と合致しない場合に装置２１３への資格情報を拒否するための他の任意の手段が開示する原理に適合する。
【００５２】
任意選択的に、サービスプロバイダは装置２１３が仮に及び「不正に」使用されている場所を受信される現在位置識別情報から割り出そうと試みることができる。実際、不正な利用者はサービスプロバイダの加入者に属さない可能性が高いので、その現在位置識別情報はサービスプロバイダに知られていない可能性が高い。有利には、サービスプロバイダは位置識別情報から現実の位置、例えば住所を推論することができる共用データベースにアクセスすることができ、かかる共用データベースはサービスプロバイダの加入者を上回る人口を扱う。サービスプロバイダはかかる共用データベースにアクセスすることによってそのような不正使用の位置を特定することができる。受信される現在位置識別情報ＩＤＬ２が位置識別情報ＩＤＬ１と合致しない場合に現在位置識別情報ＩＤＬ２から不正な位置２２を得ることは、例えば当初の顧客に追加で課金するためにサービスプロバイダが不正使用の証拠を得ることを可能にするので有利である。実際、受信される現在位置識別情報が所期の位置識別情報と合致しない場合でさえサービスプロバイダは資格情報を拒否せず（従って引き続き資格情報を付与し）、装置２１３が最初に提供された加入者に課金することに決めることができる。別の例ではサービスプロバイダが加入者に料金を請求しないが、不正使用を止めることを呼びかける電子メール等の通知を自らの加入者に単に送信する。更に別の例では、サービスプロバイダは不正使用の場合に資格情報を付与するが、不正使用を利用者に通知し、例えば装置２１３上で専用メッセージを表示することによって有料テレビサービスに加入するよう促す。
【００５３】
ネットワークによる装置の位置特定
第２の実施形態では、上記の改変形態の何れかに従い、顧客の位置に対応する位置識別情報ＩＤＬ１、ＩＤＬ２がサーバ２５内に記憶される。より正確には、上記の改変形態の何れかに従い、それぞれの位置識別情報は物理位置に関連する。装置２１２、２１３は、通信ネットワークを介してデータパケット内でサーバ２５に上記の改変形態の何れかによる受信済みの現在位置識別情報ＩＤＬ１、ＩＤＬ２を伝送する。有利には、装置２１２、２１３は自らの装置識別情報ＩＤＤ１、ＩＤＤ２もサーバ２５に伝送する。装置の現在位置識別情報ＩＤＬ１、ＩＤＬ２を受信するサーバは、受信される現在位置識別情報に対する物理位置の関連付けから装置の物理位置を突き止める。サービスにアクセスする装置の位置を特定することは上記のように不正使用の場合に有利である。資格情報の付与／拒否とは独立に現在位置識別情報から装置の位置を特定することは、利用者の位置を活用してサービスプロバイダが自らの配信ネットワーク上で新たなアプリケーションを提供することを可能にするので更に有利である。記載の改変形態及び／又は実施形態の何れかにおいて受信される現在位置識別情報から、及び資格情報の付与／拒否とは独立に装置の位置を特定することは開示する原理に適合する。
【００５４】
独立型装置の資格情報の付与
遠隔サーバへの接続を利用できない可能性がある第３の実施形態では、装置が顧客に提供され、顧客によって作動される前に所期の位置識別情報ＩＤＬ１が装置２１２及び２１３内で準備される。この準備は例えば装置の発送プロセスの一環として行われる。より正確には、顧客がサービスに加入すると、その顧客は自らの家屋の住所や銀行口座に関する様々な情報を伝達する。これらの情報の中で、加入者は現在の識別情報として自らの電力配電回路網２１０上で伝送されている自らの家屋の一意識別情報ＩＤＬ１を直接提供し、又は自らの家屋の住所を提供することによって例えば共用データベースから顧客の家屋のその一意識別情報ＩＤＬ１をプロバイダが得ることを可能にする。加入しているサービスを受信するための装置２１２、２１３を利用者に提供する前に、サービスプロバイダは所期の位置識別情報として顧客の家屋の一意識別情報ＩＤＬ１を用いて装置２１２、２１３を構成する。位置２１にいる顧客が自らの装置２１２を有料テレビネットワーク２４及び電力配電回路網２１０の両方に接続すると、装置２１２は現在位置識別情報ＩＤＬ１を電力配電回路網２１０から受信する。装置２１３が有料テレビネットワーク２４及び位置２２の電力配電回路網２２０の両方に接続される場合、装置２１３は現在位置識別情報ＩＤＬ２を電力配電回路網２２０から受信する。ステップＳ１４〜Ｓ１６で、受信される現在位置識別情報ＩＤＬ１、ＩＤＬ２が準備された所期の位置識別情報ＩＤＬ１と突き合わせて評価される。装置２１２が予期された位置に設置されていることを明らかにする、両方の識別情報が例えば位置２１において合致する場合、加入に対応するサービスを受信するための資格情報がステップＳ１８で付与される。条件付きアクセスシステムの例では、資格情報を付与することが、保護コンテンツにアクセスするための有効な復号鍵が装置２１２に提供されるように例えば権利付与管理メッセージを受信しスマートカードに転送することを含む。ＤＲＭの例では、資格情報を付与することが、例えば保護コンテンツへのアクセスを提供するために装置２１２内に事前に準備されているライセンスをＤＲＭモジュールに転送することを含む。受信される現在位置識別情報が準備された所期の位置識別情報と合致する場合に装置２１２に資格情報を付与するための他の任意の手段が開示する原理に適合する。
【００５５】
対称的に、装置２１３が予期せぬ位置に設置されていることを明らかにする、両方の識別情報が例えば位置２２において合致しない場合、加入に対応するサービスを受信するための資格情報がステップＳ１９で拒否される。換言すれば、資格情報は付与されず、予期せぬ位置２２から配信ネットワーク２４に接続される装置２１３上で加入に対応するサービスを復号し正しく受信することはできない。条件付きアクセスシステムの例では、資格情報を拒否することが、例えば配信ネットワーク２４から権利付与管理メッセージを受信しないことを含む。権利付与管理メッセージが装置２１３によって受信される場合、資格情報を拒否することは、有効な復号鍵が装置２１３に提供されないように例えば受信済みのＥＭＭを削除すること、又は受信済みのＥＭＭを少なくともスマートカードに転送しないことを含み、装置２１３は保護コンテンツにアクセスすることができない。ＤＲＭの例では、資格情報を拒否することは、ＤＲＭモジュールが保護コンテンツへのアクセスを一切提供できないように、装置２１２内で事前に準備されていたライセンスをブロックすること更には削除することを含む。現在位置識別情報が所期の位置識別情報と合致しない場合に装置２１３への資格情報を拒否するための他の任意の手段が開示する原理に適合する。
【００５６】
先に記載した改変形態及び実施形態では、開示した原理は装置２１２、２１３が配信ネットワークから有料テレビサービスを受信するとき電力配電回路網から給電されると想定した。特定の実施形態によれば、開示する原理はその構成に限定されず、電池によって給電されるとき配信ネットワークから有料テレビサービスを受信する電池給電式の装置にも適用される。その場合、現在位置識別情報は電池を充電するために電力配電回路網に接続されるときに電池給電式の装置によって受信される。この特定の実施形態によれば、受信される現在位置識別情報は装置の電池の自律性を考慮に入れて或る期間にわたって有効（即ち目下受信されている）と見なされる。例えば自律性の持続時間が２日間であり、現在位置識別情報が電池の充電時に電力配電回路網から受信され、資格情報が付与されると、その資格情報はその２日間の持続時間にわたって付与されると見なされる。他の任意の持続時間が開示する原理に適合する。自律性の持続時間を上回る期間にわたって現在位置識別情報が受信されない場合は資格情報が再び拒否される。電池の自律性を考慮に入れることによって資格情報の有効性を延ばすための任意の改変形態が開示する原理に適合する。
【００５７】
電池給電式の装置が電力配電回路網に接続され、現在位置識別情報が受信される度に、開示する原理に従って資格情報が付与／拒否され及び／又は装置の場所が突き止められる。
【００５８】
図３は、サービスにアクセスするための位置ベースの資格情報が付与されている処理装置３を示す。処理装置３は、図２の装置２１２、２１３の例示的実装形態である。
【００５９】
特定の且つ非限定的な実施形態によれば、処理装置３は少なくとも１つの他の電力線送信機装置からパケットを受信するように、及び任意選択的に少なくとも１つの他の電力線送信機装置にパケットを送信するように構成される第１の電力線ネットワークインタフェース３０を含む。開示する原理の別の実施形態によれば、電力線ネットワークインタフェースは、
−その改変形態の何れかにおいてHomePNA規格に準拠する電力線インタフェース、
−その改変形態の何れかにおいてHomePlug Powerline Allianceの任意の規格に準拠する電力線インタフェース、
−ITU-T G.hnグループの仕様に準拠する電力線インタフェース
を含む組に属する。
【００６０】
より広くは、電力配電回路網上で無線装置との間でデータパケットを送受信することを可能にする任意の電力線ネットワークインタフェースが本原理に適合する。
【００６１】
特定の且つ非限定的な実施形態によれば、処理装置３は、配信ネットワークからの少なくともサービス受信を含む、データを送受信するように構成される少なくとも１つの第２のネットワークインタフェース３８を更に含む。特定の且つ非限定的な実施形態によれば、配信ネットワークが双方向ネットワークであり、ビデオサービスの配信並びに資格情報の付与及び／又は拒否に必要なデータトラフィックの両方を可能にする。別の特定の且つ非限定的な実施形態によれば、配信ネットワークが衛星ネットワークや地上ブロードキャストネットワーク等の単方向ネットワークであり、例えばインターネット等の別の双方向ネットワークが資格情報の付与又は拒否に必要なデータトラフィックを運ぶ。開示する原理の別の実施形態によれば、第２のネットワークインタフェースは、
−共用同軸ケーブルインフラを含む混成光ファイバ同軸ケーブル（ＨＦＣ）配信ネットワークインタフェース、
−戻りチャネルを任意選択的に含む衛星配信ネットワークインタフェース、
−地上配信ネットワークインタフェース、
−例えば３Ｇ、４Ｇ、ＬＴＥネットワーク等のセルラ無線ネットワークインタフェース、
−その改変形態の何れかにおけるWiFi等の無線ローカルエリアネットワーク、
−その改変形態の何れかにおけるインターネットネットワークインタフェース
を含む組に属する。
【００６２】
より広くは、ヘッドエンドからパケット及びサービスを送受信することを可能にする任意のネットワークインタフェースが本原理に適合する。
【００６３】
第１のネットワークインタフェース３０及び少なくとも１つの第２のネットワークインタフェース３８は、サービスにアクセスするための位置ベースの資格情報を処理装置３に付与するように構成される処理モジュール３４につながれ、処理装置３は所期の位置識別情報に関連する装置識別情報によって識別される。処理モジュール３４は、処理装置３が電力配電回路網に接続され、電力配電回路網から給電されるときネットワークインタフェース３０から現在位置識別情報を受信するように構成される。処理モジュールは、現在位置識別情報が所期の位置識別情報と合致する場合に処理装置３に資格情報を付与するように更に構成される。
【００６４】
付与される資格情報は、復号済みの及び解読済みのサービスを出力３２によって表示手段上に表示するために、ネットワークインタフェース３８から受信されるサービスを処理モジュールが復号し正しく解読することを可能にする。特定の実施形態によれば、表示手段は装置の外部にあり、出力３２が解読済みのデータを外部の表示手段に送信する。本原理の別の実施形態によれば、内部の又は外部の表示手段は、
−パーソナルコンピュータの画面、
−ＴＶの画面、
−タブレット、
−スマートフォンの画面
を含む組に属する。
【００６５】
本原理の別の実施形態によれば、出力データは遠隔制御又はユーザインタフェースによって利用者とデータをやり取りするための入力／出力インタフェースも含む。より広くは、付与される資格情報に基づいて解読済みのデータを表示することを可能にする任意の表示手段、及び解読済みのデータを送信することを可能にする任意のネットワークインタフェースが本原理に適合する。
【００６６】
図４は、特定の且つ非限定的な実施形態による処理装置３の例示的アーキテクチャを示し、処理装置３はサービスにアクセスするための位置ベースの資格情報を付与するように構成される。処理装置３は、内蔵メモリ４２０（例えばＲＡＭ、ＲＯＭ、ＥＰＲＯＭ）と共に、例えばＣＰＵ、ＧＰＵ、及び／又はＤＳＰ（デジタル信号プロセッサの英語の頭字語）である１個又は複数個のプロセッサ４１０を含む。処理装置３は、出力情報をディスプレイに送信し、及び／又は利用者がコマンド及び／又はデータを入力することを可能にし（例えばキーボード、マウス、タッチパッド、ウェブカメラ、ディスプレイ）、及び／又はネットワークインタフェース上でデータを送受信するように適合される１つ又は幾つかの入力／出力インタフェース４３０と、処理装置３の外部にあっても良い電源４４０とを含む。電源４４０は、電力配電回路網上でデータを送受信するためのネットワークインタフェースとして更に構成される。
【００６７】
例示的且つ非限定的な実施形態によれば、処理装置３はメモリ４２０内に記憶されるコンピュータプログラムを更に含む。コンピュータプログラムは、処理装置３、とりわけプロセッサ４１０によって実行されるときに図１に関して説明した処理方法を処理装置３に実行させる命令を含む。改変形態によれば、コンピュータプログラムが処理装置３の外部で非一時的デジタルデータ支持上に、例えば全て当技術分野で知られているＳＤカード、ＨＤＤ、ＣＤ−ＲＯＭ、ＤＶＤ、読取専用及び／又はＤＶＤドライブ、及び／又はＤＶＤリード／ライトドライブ等の外部記憶媒体上に記憶される。従って、処理装置３はコンピュータプログラムを読み出すためのインタフェースを含む。更に処理装置３は、対応するＵＳＢポート（不図示）経由で１つ又は複数のユニバーサルシリアルバス（ＵＳＢ）型の記憶装置（例えば「メモリスティック」）にアクセスすることができる。
【００６８】
例示的且つ非限定的な実施形態によれば、処理装置３は
−セットトップボックス、
−ＴＶ装置、
−デジタルメディアプレーヤ装置、
−ゲーム機、
−インターネットゲートウェイ装置、
−スマートフォン、
−モバイル装置、
−タブレット（又はタブレットコンピュータ）、
−ラップトップ、
−サーバ、
−通信装置
を含む組に属する装置である。
【図１】
2019535177.tif 000003
【図２】
2019535177.tif 000004
【図３】
2019535177.tif 000005
【図４】
2019535177.tif 000006
【国際調査報告】
2019535177.tif 000007
2019535177.tif 000008
2019535177.tif 000009